(57)【要約】  本開示の一実施の形態にかかる表示装置は、各画素を行単位で順次選択する第１駆動部と、第１駆動部によって選択された画素行の各画素に対して映像信号を、信号線を介して印加するとともに、映像信号の極性を所定の周期で反転させる第２駆動部とを備えている。第２駆動部は、信号電圧の印加に先立って、相対的に振幅の大きな第１プリチャージ信号電圧と、相対的に振幅の小さな第２プリチャージ信号電圧とを順次、信号線に印加する。第２駆動部は、さらに、第１プリチャージ信号電圧の印加に起因する、画素から信号線への電流リーク量が所定の水平期間ごとに他の期間よりも小さくなるように、第１プリチャージ信号電圧の印加を制御する。
2017134967.tif 000002
【特許請求の範囲】
【請求項１】
複数の画素が行列状に２次元配置され、画素列ごとに信号線が配置された画素アレイ部と、
各前記画素を行単位で順次選択する第１駆動部と、
前記第１駆動部によって選択された画素行の各前記画素に対して映像信号を、前記信号線を介して印加するとともに、前記映像信号の極性を所定の周期で反転させる第２駆動部と
を備え、
前記第２駆動部は、前記映像信号の印加に先立って、相対的に振幅の大きな第１プリチャージ信号電圧と、相対的に振幅の小さな第２プリチャージ信号電圧とを順次、前記信号線に印加し、
前記第２駆動部は、さらに、前記第１プリチャージ信号電圧の印加に起因する、前記画素から前記信号線への電流リーク量が所定の水平期間ごとに他の期間よりも小さくなるように、前記第１プリチャージ信号電圧の印加を制御する
表示装置。
【請求項２】
前記第２駆動部は、前記第１プリチャージ信号電圧の印加を前記所定の水平期間ごとに間引きつつ、前記第２プリチャージ信号電圧の印加を１水平期間ごとに行い、
前記第２駆動部は、各前記映像信号の印加期間を含まない水平期間の全部または一部において、前記第１プリチャージ信号電圧の印加を省略する
請求項１に記載の表示装置。
【請求項３】
前記第２駆動部は、前記第１プリチャージ信号電圧の印加を前記所定の水平期間ごとに間引きつつ、前記第２プリチャージ信号電圧の印加を１水平期間ごとに行い、
前記第１プリチャージ信号電圧は、前記映像信号の最低レベルまたはそれより大きなレベルの電圧値となっている
請求項１に記載の表示装置。
【請求項４】
前記第２駆動部は、前記第１プリチャージ信号電圧および前記第２プリチャージ信号電圧の印加を１水平期間ごとに行うとともに、前記第１プリチャージ信号電圧の振幅を、前記所定の水平期間ごとに、他の水平期間における前記第１プリチャージ信号電圧の振幅よりも小さくする
請求項１に記載の表示装置。
【請求項５】
前記第２駆動部は、前記第１プリチャージ信号電圧の印加を前記所定の水平期間ごとに間引きつつ、前記第２プリチャージ信号電圧の印加を１水平期間ごとに行い、
前記第２駆動部は、前記第１プリチャージ信号電圧の間引きに伴って生じた時間の全体または一部を各前記映像信号の印加期間に均等に割り振る
請求項１に記載の表示装置。
【請求項６】
表示装置を備え、
前記表示装置は、
複数の画素が行列状に２次元配置され、画素列ごとに信号線が配置された画素アレイ部と、
各前記画素を行単位で順次選択する第１駆動部と、
前記第１駆動部によって選択された画素行の各前記画素に対して映像信号を、前記信号線を介して印加するとともに、前記映像信号の極性を所定の周期で反転させる第２駆動部と
を有し、
前記第２駆動部は、前記映像信号の印加に先立って、相対的に振幅の大きな第１プリチャージ信号電圧と、相対的に振幅の小さな第２プリチャージ信号電圧とを順次、前記信号線に印加し、
前記第２駆動部は、さらに、前記第１プリチャージ信号電圧の印加に起因する、前記画素から前記信号線への電流リーク量が所定の水平期間ごとに他の期間よりも小さくなるように、前記第１プリチャージ信号電圧の印加を制御する
電子機器。
【請求項７】
照明光学系と、
前記照明光学系からの光を変調することで画像光を生成する複数の画像光生成部と、
複数の前記画像光生成部で生成された各前記画像光を投射する投射光学系と
を備え、
複数の画素が行列状に２次元配置され、画素列ごとに信号線が配置された画素アレイ部と、
各前記画素を行単位で順次選択する第１駆動部と、
前記第１駆動部によって選択された画素行の各前記画素に対して映像信号を、前記信号線を介して印加するとともに、前記映像信号の極性を所定の周期で反転させる第２駆動部と
を有し、
前記第２駆動部は、前記映像信号の印加に先立って、相対的に振幅の大きな第１プリチャージ信号電圧と、相対的に振幅の小さな第２プリチャージ信号電圧とを順次、前記信号線に印加し、
前記第２駆動部は、さらに、前記第１プリチャージ信号電圧の印加に起因する、前記画素から前記信号線への電流リーク量が所定の水平期間ごとに他の期間よりも小さくなるように、前記第１プリチャージ信号電圧の印加を制御する
投射型表示装置。
【発明の詳細な説明】
【技術分野】
【０００１】
本開示は、表示装置、電子機器および投射型表示装置に関する。
【背景技術】
【０００２】
電気光学素子として液晶セルを備えた表示装置では、液晶セルに長時間にわたって直流電圧が印加され続けると、液晶の比抵抗（物質固有の抵抗値）等の劣化や、「焼き付き」と呼ばれる残像現象が生じる。そのため、液晶セルの画素電極に印加される信号電圧の、液晶セルの対向電極の電位に対する極性を所定の周期で反転させる交流駆動法が採られている。【０００３】
この交流駆動法としては、例えば、対向電極に印加するコモン電圧を一定にして、信号電圧の極性を１フィールド期間（１Ｆ）ごとに反転させたり、信号電圧だけでなくコモン電圧も１Ｆごとに反転させたりする１Ｆ反転駆動法が知られている。この他に、例えば、コモン電圧を一定にして、信号電圧の極性を１Ｆごとに反転させると共に１水平期間（１Ｈ）ごとに反転させたり、信号電圧だけでなくコモン電圧も１Ｆごとに反転させると共に１Ｈごとに反転させたりする１Ｆ１Ｈ反転駆動法が知られている。また、例えば、コモン電圧を一定にして、信号電圧の極性を１Ｆごとに反転させると共に１ドットごとに反転させたり、信号電圧だけでなくコモン電圧も１Ｆごとに反転させると共に１ドットごとに反転させたりする１Ｆ１ドット反転駆動法が知られている。【０００４】
しかし、この交流駆動法では、映像信号の信号線への書き込みによる充放電電流が大きいと、信号線の電位が揺れてしまう。その結果、信号線の電位の揺れが表示画面上に縦スジとして見えてしまい、ユニフォーミティ（画面均一性）が悪化する。ユニフォーミティの改善には、上記の充放電電流をできるだけ抑えることが重要である。そこで、映像信号の信号線への書き込みに先立って、中間調レベル、例えばグレーレベルのプリチャージ信号電圧を水平ブランキング期間にあらかじめ信号線に書き込むプリチャージ方式が採られている。【０００５】
しかし、プリチャージ信号電圧レベルを中間調レベルに設定すると、画素トランジスタとして用いられているＴＦＴ(Thin Film Transistor；薄膜トランジスタ)のソース−ドレイン間にリーク電流が流れる。電流リーク量は、ソース−ドレイン間の電位の大きさに応じて変化する。そのため、例えば、ノーマリーホワイトの液晶表示装置において、プリチャージ信号電圧レベルをグレーレベルに設定した上で、黒のウィンドウパターンを表示した場合には、当該ウィンドウパターンの黒領域とグレー領域とで、電流リーク量が互いに異なってしまう。これにより、ウィンドウパターンの黒の情報が画素トランジスタを通して信号線に漏れるので、縦方向（垂直方向）のクロストーク（以下、「縦クロストーク」と称する。）が発生し、画品位を損なうことになる。【０００６】
ノーマリーホワイトの液晶表示装置において、縦クロストークを低減するためには、プリチャージ信号電圧レベルを黒レベルに設定すればよい。何故ならば、プリチャージ信号電圧として黒レベルをあらかじめ信号線に書き込むことで、画素トランジスタのソース−ドレイン間の電位を全画素領域で一定にすることができ、電流リーク量も全画素領域で均一にすることができるからである。【０００７】
縦クロストークの低減と、上述の縦スジの低減とを両立する方策として、例えば、プリチャージ信号電圧レベルを、黒レベルとグレーレベルとの双方を水平ブランキング期間に順次、信号線に印加する２ステッププリチャージ方式が採られている（例えば、特許文献１〜３参照）。
【先行技術文献】
【特許文献】
【０００８】
【特許文献１】特開２００５−３０９２８２号公報
【特許文献２】特開２００８−２１６４２５号公報
【特許文献３】特開２０１３−１５６６４５号公報
【発明の概要】
【０００９】
しかし、２ステッププリチャージ方式では、強制的に電流リークが行われている。そのため、１Ｆ期間内において、コモン電圧に対して正極側の電圧印加と、コモン電圧に対して負極側の電圧印加との対称性が崩れる。これにより、液晶セルに電界が生じるので、その電界によって、液晶セルに含まれる不純物イオンが画素電極または対向電極の界面に集まるチャージアップが生じてしまう。その結果、一時的な焼き付きが生じてしまうという問題があった。
【００１０】
したがって、プリチャージによる一時的な焼き付きの発生を抑制することの可能な表示装置、電子機器および投射型表示装置を提供することが望ましい。
【００１１】
本開示の一実施の形態の表示装置は、複数の画素が行列状に２次元配置され、画素列ごとに信号線が配置された画素アレイ部を備えている。第１の表示装置は、さらに、各画素を行単位で順次選択する第１駆動部と、第１駆動部によって選択された画素行の各画素に対して映像信号を、信号線を介して印加するとともに、映像信号の極性を所定の周期で反転させる第２駆動部とを備えている。第２駆動部は、信号電圧の印加に先立って、相対的に振幅の大きな第１プリチャージ信号電圧と、相対的に振幅の小さな第２プリチャージ信号電圧とを順次、信号線に印加する。第２駆動部は、さらに、第１プリチャージ信号電圧の印加に起因する、画素から信号線への電流リーク量が所定の水平期間ごとに他の期間よりも小さくなるように、第１プリチャージ信号電圧の印加を制御する。
【００１２】
本開示の一実施の形態の表示装置において、第２駆動部は、第１プリチャージ信号電圧の印加を所定の水平期間ごとに間引きつつ、第２プリチャージ信号電圧の印加を１水平期間ごとに行ってもよい。このとき、第２駆動部は、例えば、各映像信号の印加期間を含まない水平期間の全部または一部において、第１プリチャージ信号電圧の印加を省略してもよい。また、第２駆動部は、例えば、第１プリチャージ信号電圧の間引きに伴って生じた時間の全体または一部を各映像信号の印加期間に均等に割り振ってもよい。また、第１プリチャージ信号電圧が、例えば、信号電圧の最低レベルまたはそれより大きなレベルの電圧値となっていてもよい。
【００１３】
また、本開示の一実施の形態の表示装置において、第２駆動部は、第１プリチャージ信号電圧および第２プリチャージ信号電圧の印加を１水平期間ごとに行うとともに、第１プリチャージ信号電圧の振幅を、所定の水平期間ごとに、他の水平期間における第１プリチャージ信号電圧の振幅よりも小さくするようになっていてもよい。
【００１４】
本開示の一実施の形態の電子機器は、上記の表示装置を備えている。
【００１５】
本開示の一実施の形態の投射型表示装置は、照明光学系と、照明光学系からの光を変調することで画像光を生成する複数の画像光生成部と、複数の画像光生成部で生成された各画像光を投射する投射光学系とを備えている。各画像光生成部は、上記の表示装置と同一の構成要素を有している。
【００１６】
本開示の一実施の形態の表示装置、本開示の電子機器および本開示の投射型表示装置では、第１プリチャージ信号電圧の印加に起因する、画素から信号線への電流リーク量が所定の水平期間ごとに他の期間よりも小さくなるように、第１プリチャージ信号電圧の印加が制御される。これにより、１Ｆ期間内において、コモン電圧に対して正極側の電圧印加と、コモン電圧に対して負極側の電圧印加との対称性の崩れが緩和される。
【００１７】
本開示の一実施の形態の表示装置、本開示の電子機器および本開示の投射型表示装置によれば、１Ｆ期間内において、コモン電圧に対して正極側の電圧印加と、コモン電圧に対して負極側の電圧印加との対称性の崩れを緩和するようにしたので、チャージアップを抑制することができる。その結果、プリチャージによる一時的な焼き付きの発生を抑制することができる。なお、本開示の効果は、ここに記載された効果に必ずしも限定されず、本明細書中に記載されたいずれの効果であってもよい。
【００１８】
本開示の一実施の形態の表示装置において、第２駆動部が、第１プリチャージ信号電圧の印加を所定の水平期間ごとに間引きつつ、第２プリチャージ信号電圧の印加を１水平期間ごとに行うようになっている場合には、どのような映像信号に対しても、プリチャージによる一時的な焼き付きの発生を抑制することができる。
【００１９】
本開示の一実施の形態の表示装置において、第２駆動部が、各映像信号の印加期間を含まない水平期間の全部または一部において、第１プリチャージ信号電圧の印加を省略するようになっている場合には、ブランキング期間における、意図的な電流リークを低減することができる。その結果、プリチャージによる一時的な焼き付きの発生をより一層、抑制することができる。
【００２０】
本開示の一実施の形態の表示装置において、第２駆動部が、第１プリチャージ信号電圧の間引きに伴って生じた時間の全体または一部を各映像信号の印加期間に均等に割り振るようになっている場合には、上述した対称性の崩れが生じている場合であっても、映像信号の印加期間が延びた分だけ、各画素の電圧値を所望の電圧値に近づけることができる。その結果、プリチャージによる一時的な焼き付きの発生をより一層、抑制することができる。
【００２１】
本開示の一実施の形態の表示装置において、第１プリチャージ信号電圧が、信号電圧の最低レベルまたはそれより大きなレベルの電圧値となっている場合には、縦クロストークの低減効果を損なうことなく、プリチャージによる一時的な焼き付きの発生をより一層、抑制することができる。
【００２２】
本開示の一実施の形態の表示装置において、第２駆動部が、第１プリチャージ信号電圧および第２プリチャージ信号電圧の印加を１水平期間ごとに行うとともに、第１プリチャージ信号電圧の振幅を、所定の水平期間ごとに、他の水平期間における第１プリチャージ信号電圧の振幅よりも小さくするようになっている場合には、上述の「間引き」と同様、どのような映像信号に対しても、プリチャージによる一時的な焼き付きの発生を抑制することができる。
【図面の簡単な説明】
【００２３】
【図１】本開示の第１の実施の形態に係る表示装置の概略構成の一例を表す図である。
【図２】表示パネルモジュールの概略構成の一例を表す図である。
【図３】水平駆動回路およびプリチャージ回路の回路構成の一例を表す図である。
【図４】コントローラによる点順次駆動の一例について説明するための波形図である。
【図５】１フィールド期間について説明するための波形図である。
【図６】１水平期間について説明するための波形図である。
【図７】水平駆動回路およびプリチャージ回路の回路構成の他の例を表す図である。
【図８】コントローラによる線順次駆動の一例について説明するための波形図である。
【図９Ａ】１Ｆ反転駆動の一例について説明するための模式図である。
【図９Ｂ】１Ｆ１Ｈ反転駆動の一例について説明するための模式図である。
【図９Ｃ】１Ｆ１ドット反転駆動の一例について説明するための模式図である。
【図１０】画素アレイ部が白黒ストライプ表示をしている様子を表す図である。
【図１１】図１０の白領域内の画素の電圧波形の一例を表す図である。
【図１２】図１０の黒領域内の画素の電圧波形の一例を表す図である。
【図１３】図１１の区間αにおける電圧波形の一例を表す図である。
【図１４】図１１の区間βにおける電圧波形の一例を表す図である。
【図１５】図１０の白領域内の画素の電圧波形の他の例を表す図である。
【図１６】図１０の黒領域内の画素の電圧波形の他の例を表す図である。
【図１７】従来のプリチャージ信号電圧の一例について説明するための波形図である。
【図１８】縦クロストークと焼き付きとの関係の一例を表す図である。
【図１９】プリチャージ信号電圧の一例について説明するための波形図である。
【図２０】プリチャージ信号電圧の一例について説明するための波形図である。
【図２１】プリチャージ信号電圧の一例について説明するための波形図である。
【図２２】プリチャージ信号電圧の一例について説明するための波形図である。
【図２３】プリチャージ信号電圧の一例について説明するための波形図である。
【図２４】プリチャージ信号電圧の一例について説明するための波形図である。
【図２５】プリチャージ信号電圧の一例について説明するための波形図である。
【図２６】プリチャージ信号電圧の一例について説明するための波形図である。
【図２７】プリチャージ信号電圧の一例について説明するための波形図である。
【図２８】プリチャージ信号電圧の一例について説明するための波形図である。
【図２９】プリチャージ信号電圧の一例について説明するための波形図である。
【図３０】プリチャージ信号電圧の一例について説明するための波形図である。
【図３１】プリチャージ信号電圧の一例について説明するための波形図である。
【図３２】プリチャージ信号電圧の一例について説明するための波形図である。
【図３３】プリチャージ信号電圧の一例について説明するための波形図である。
【図３４】プリチャージ信号電圧の一例について説明するための波形図である。
【図３５】プリチャージ信号電圧の一変形例について説明するための波形図である。
【図３６】プリチャージ信号電圧の一変形例について説明するための波形図である。
【図３７】映像信号の一変形例について説明するための波形図である。
【図３８】図１０の白領域内の画素の電圧波形の一変形例を表す図である。
【図３９】図１０の黒領域内の画素の電圧波形の一変形例を表す図である。
【図４０】図１０の白領域内の画素の電圧波形の一変形例を表す図である。
【図４１】図１０の黒領域内の画素の電圧波形の一変形例を表す図である。
【図４２】本開示の第２の実施の形態に係る電子機器の斜視構成の一例を表す図である。
【図４３】本開示の第３の実施の形態に係る電子機器の斜視構成の一例を表す図である。
【図４４】本開示の第４の実施の形態に係るプロジェクタの概略構成の一例を表す図である。
【発明を実施するための形態】
【００２４】
以下、本開示を実施するための形態について、図面を参照して詳細に説明する。なお、説明は以下の順序で行う。
・目次
要部                    図面
１．第１の実施の形態………（１）                    図１〜図２０
（１）＋（２）            図２１、図２２
（１）＋（２）＋（３）    図２３、図２４
２．第２の実施の形態………（３）                    図２５、図２６
（３）＋（１）            図２７、図２８
（３）＋（２）            図２９、図３０
３．第３の実施の形態………（４）                    図３１、図３２
（４）＋（１）            図３３、図３４
４．各実施の形態に共通の変形例
……（５）                    図３５、図３６
（６）                    図３７
（７）                    図３８〜図４１
５．第４の実施の形態（電子機器）                    図４２
６．第５の実施の形態（電子機器）                    図４３
７．第６の実施の形態（プロジェクタ）                図４４
・要部
（１）ブランキング期間におけるプリチャージ信号電圧ＶｐｓｉｇＧ１の全体または一部が省略されている
（２）プリチャージ信号電圧ＶｐｓｉｇＧ１の印加が所定の１Ｈごとに間引かれている
（３）プリチャージ信号電圧ＶｐｓｉｇＧ１が信号電圧Ｖｓｉｇの最低レベルまたはそれよりも大きなレベルとなっている
（４）プリチャージ信号電圧ＶｐｓｉｇＧ１の振幅が、所定の１Ｈごとに他の１Ｈにおけるプリチャージ信号電圧ＶｐｓｉｇＧ１の振幅よりも小さくなっている
（５）間引く箇所が周期的に変更されている
（６）間引きに伴って生じる時間の全体または一部が各書き込み時間に均等に割り振られている。
（７）プリチャージ信号電圧ＶｐｓｉｇＧ１が信号電圧Ｖｓｉｇの最高レベルまたはそれよりも大きなレベルとなっている
【００２５】
＜１．第１の実施の形態＞
[構成]
図１は、本開示の第１の実施の形態に係る表示装置１の概略構成の一例を表したものである。表示装置１は、３板式のプロジェクタ（投射型表示装置）のライトバルブとして適用可能なものである。表示装置１は、例えば、画素アレイ部１０、コントローラ２０および液晶ドライバ３０を備えている。画素アレイ部１０は、透過型となっていてもよいし、反射型となっていてもよい。なお、画素アレイ部１０が透過型となっている場合には、表示装置１は、必要に応じて、画素アレイ部１０の背後に、図示しない光源を備えていてもよい。
【００２６】
（画素アレイ部１０）
画素アレイ部１０は、電圧印加により光の偏光状態を電気的に変えることで画像光を生成するものである。画素アレイ部１０は、例えば、ノーマリーブラックの透過率特性または反射率特性となっている。ここで、ノーマリーブラックとは、電圧がかかっていない時に透過率あるいは反射率が最小となり 、黒表示になる光学特性を指している。なお、画素アレイ部１０は、例えば、ノーマリーホワイトの透過率特性または反射率特性となっていてもよい。ここで、ノーマリーホワイトとは、電圧がかかっていない時に透過率あるいは反射率が最大となり、白表示になる光学特性を指している。以下では、画素アレイ部１０がノーマリーブラックの透過率特性または反射率特性となっているものとして、説明する。
【００２７】
図２は、表示パネルモジュール４０の概略構成の一例を表したものである。表示装置１は、表示パネルモジュール４０を備えている。表示パネルモジュール４０は、例えば、ガラス板または樹脂板などからなる基板上に、画素アレイ部１０および液晶ドライバ３０が設けられた表示パネル４１を備えている。表示パネルモジュール４０は、例えば、さらに、表示パネル４１上の液晶ドライバ３０に連結されたＦＰＣ（ Flexible Printed Circuits）４２と、ＦＰＣ４２に連結された制御基板４３とを備えている。制御基板４３は、液晶ドライバ３０を介して画素アレイ部１０を制御するものであり、例えば、コントローラ２０を有している。コントローラ２０は、例えば、ＩＣなどで構成されている。なお、コントローラ２０は、ＦＰＣ４２上に設けられたり、表示パネルモジュール４０の基板上に設けられたりしていてもよい。
【００２８】
画素アレイ部１０は、行方向に延在する複数の走査線ＷＳＬと、列方向に延在する複数の信号線ＤＴＬと、走査線ＷＳＬと信号線ＤＴＬとが互いに交差する箇所ごとに１つずつ設けられた複数の画素１１とを有している。つまり、画素アレイ部１０では、複数の画素１１が行列状に２次元配置され、画素列ごとに信号線ＤＴＬが配置されている。各画素１１は、例えば、液晶セルＣＬと、走査線ＷＳＬから入力される信号に基づいて信号線ＤＴＬの電圧をサンプリングするとともに液晶セルＣＬに書き込む画素トランジスタＴｒと、液晶セルＣＬに並列接続された容量素子Ｃｓとを有している。
【００２９】
画素トランジスタＴｒは、例えば、薄膜トランジスタ（ＴＦＴ: Thin Film Transistor）によって構成されている。液晶セルＣＬは、例えば、液晶層と、液晶層を挟み込む画素電極および対向電極とを含んで構成されている。液晶セルＣＬは、さらに、例えば、偏光板を含んで構成されていてもよい。液晶セルＣＬでは、画素電極が画素トランジスタＴｒのソースまたはドレインに接続され、対向電極が、後述のＶＣＯＭ回路２４に接続されている。液晶セルＣＬの表示状態は、例えば、ＴＮ（Twisted Nematic）モード、ＶＡ(Vertical Alignment)モード、ＩＰＳ(In Plane Switching)モード、ＦＦＳ（Fringe Field Switching）モード、ＳＴＮ（Super Twisted Nematic）モード、または、ＥＣＢ（Electrically Controlled Birefringence）モードとなっている。容量素子Ｃｓでは、一端が、液晶セルＣＬの画素電極に接続され、他端が、液晶セルＣＬの画素電極、または、液晶セルＣＬの画素電極とは異なる電位の部位に接続されている。
【００３０】
（液晶ドライバ３０）
液晶ドライバ３０は、各画素１１をアクティブマトリクス駆動することにより、外部から入力された映像信号に基づく画像光を画素アレイ部１０から生成させる。液晶ドライバ３０は、複数の走査線ＷＳＬに接続された垂直駆動回路３１と、複数の信号線に接続された水平駆動回路３２と、プリチャージ回路３３とを有している。コントローラ２０および垂直駆動回路３１が、本開示の「第１駆動部」の一具体例に対応する。コントローラ２０、水平駆動回路３２およびプリチャージ回路３３が、本開示の「第２駆動部」の一具体例に対応する。
【００３１】
図３は、水平駆動回路３２およびプリチャージ回路３３の回路構成の一例を表したものである。図４は、コントローラ２０による点順次駆動の一例について説明するための波形図である。図３、図４では、複数の信号線ＤＴＬが、複数のグループ（例えば４１ユニット）に分けられており、各グループには、複数の（例えば４８相）の信号線ＤＴＬが割り当てられている。つまり、図３、図４では、４８相×４１ユニット＝１９６８ラインの信号線ＤＴＬが設けられている。なお、水平駆動回路３２は、図３に記載の構成に限定されるものではない。
【００３２】
水平駆動回路３２は、垂直駆動回路３１によって選択された画素行の各画素１１に対して、映像信号ＤＡ（後述）に対応する信号電圧Ｖｓｉｇを、信号線ＤＴＬを介して印加する。具体的には、水平駆動回路３２は、コントローラ２０から供給される制御信号に基づいて作動し、信号電圧Ｖｓｉｇを１ライン分ずつ、各信号線ＤＴＬを介して画素アレイ部１０にパラレル出力する。信号電圧Ｖｓｉｇは、外部から入力された映像信号ＤＡの階調に応じた波高値もしくはパルス幅を有している。垂直駆動回路３１は、各画素１１を行単位で順次選択する。具体的には、垂直駆動回路３１は、コントローラ２０から供給される制御信号に基づいて作動し、各画素１１を線順次に走査する駆動パルスを、各走査線ＷＳＬを介して画素アレイ部１０にパラレル出力する。
【００３３】
水平駆動回路３２は、例えば、信号線ＤＴＬのグループごとに１つずつ割り当てられた複数のシフトレジスタＳＲ（ＳＲ（ａ１），ＳＲ（ａ２）・・・，ＳＲ（ａ４１））と、信号線ＤＴＬごとに１つずつ割り当てられた複数のスイッチ素子ＳＷａとを含んで構成されている。各シフトレジスタＳＲ（ａ１），ＳＲ（ａ２）・・・，ＳＲ（ａ４１）では、出力端が、対応するグループ内の各スイッチ素子ＳＷａのオンオフ制御端子に接続され、入力端が、ＦＰＣ４２を介してコントローラ２０に接続されている。各スイッチ素子ＳＷａは、信号線ＤＴＬごとに１つずつ割り当てられた複数のスイッチを含んで構成されている。各スイッチ素子ＳＷａでは、一端が各信号線ＤＴＬに１つずつ接続され、他端が、ＦＰＣ４２を介してコントローラ２０に接続されている。水平駆動回路３２は、例えば、コントローラ２０から供給される制御信号に基づいて、各シフトレジスタＳＲから制御信号が、対応するグループ内の各スイッチ素子ＳＷａのオンオフ制御端子に、順次、出力されることにより、各グループから、対応する各信号線ＤＴＬに、信号電圧Ｖｓｉｇを順次、出力する。
【００３４】
プリチャージ回路３３は、水平駆動回路３２とともに、各信号線ＤＴＬに接続されている。プリチャージ回路３３は、コントローラ２０から供給される制御信号に基づいて作動し、プリチャージ信号電圧Ｖｐｓｉｇを、各信号線ＤＴＬを介して画素アレイ部１０にパラレル出力する。プリチャージ回路３３は、信号電圧Ｖｓｉｇの印加に先立って、プリチャージ信号電圧Ｖｐｓｉｇを信号線ＤＴＬに印加する。プリチャージ信号電圧Ｖｐｓｉｇは、例えば、図４に示したように、プリチャージ信号電圧ＶｐｓｉｇＢと、プリチャージ信号電圧ＶｐｓｉｇＧとを含んでいる。この場合、プリチャージ回路３３は、信号電圧Ｖｓｉｇの印加に先立って、プリチャージ信号電圧ＶｐｓｉｇＢと、プリチャージ信号電圧ＶｐｓｉｇＧとを順次、信号線ＤＴＬに印加する。プリチャージ信号電圧ＶｐｓｉｇＢが、本開示の「第１プリチャージ電圧」の一具体例に対応する。プリチャージ信号電圧ＶｐｓｉｇＧが、本開示の「第２プリチャージ電圧」の一具体例に対応する。
【００３５】
プリチャージ信号電圧ＶｐｓｉｇＢは、各画素１１の対向電極の電圧のばらつきを減らすための信号電圧である。プリチャージ信号電圧ＶｐｓｉｇＢは、信号電圧Ｖｓｉｇの大きさや極性に依らず固定値となっており、例えば、信号電圧Ｖｓｉｇの最低レベル（後述のＶｓｉｇＬ，ＶｓｉｇＬ１，ＶｓｉｇＬ２）よりも小さなレベルの電圧値となっている。プリチャージ信号電圧ＶｐｓｉｇＢは、プリチャージ信号電圧ＶｐｓｉｇＧの振幅と比べて相対的に大きな振幅を有している。ここで、電圧ＶｓｉｇＬは、コモン電圧Ｖｃｏｍが一定となっているときの信号電圧Ｖｓｉｇの最低レベルの電圧値である。電圧ＶｓｉｇＬ１は、コモン電圧Ｖｃｏｍが矩形波となっている場合で、信号電圧Ｖｓｉｇの極性が正のときの信号電圧Ｖｓｉｇの最低レベルの電圧値である。電圧ＶｓｉｇＬ２は、コモン電圧Ｖｃｏｍが矩形波となっている場合で、信号電圧Ｖｓｉｇの極性が負のときの信号電圧Ｖｓｉｇの最低レベルの電圧値である。
【００３６】
プリチャージ信号電圧ＶｐｓｉｇＧは、プリチャージ信号電圧ＶｐｓｉｇＢに続いて出力される信号電圧である。コモン電圧Ｖｃｏｍが矩形波となっている場合、プリチャージ信号電圧ＶｐｓｉｇＧは、プリチャージ信号電圧ＶｐｓｉｇＧ１と、プリチャージ信号電圧ＶｐｓｉｇＧ２とにより構成されている。プリチャージ信号電圧ＶｐｓｉｇＧ１は、信号電圧Ｖｓｉｇの極性が正のときに信号電圧Ｖｓｉｇが出力される直前に出力される信号電圧である。プリチャージ信号電圧ＶｐｓｉｇＧ２は、信号電圧Ｖｓｉｇの極性が負のときに信号電圧Ｖｓｉｇが出力される直前に出力される信号電圧である。プリチャージ信号電圧ＶｐｓｉｇＧ１は、信号電圧Ｖｓｉｇの極性が正のときの信号電圧Ｖｓｉｇの中間調電圧であり、例えば、後述のコモン電圧Ｖｃｏｍよりも少し高い電圧値となっている。プリチャージ信号電圧ＶｐｓｉｇＧ２は、信号電圧Ｖｓｉｇの極性が負のときの信号電圧Ｖｓｉｇの中間調電圧であり、例えば、後述のコモン電圧Ｖｃｏｍよりも少し低い電圧値となっている。プリチャージ信号電圧ＶｐｓｉｇＧ，ＶｐｓｉｇＧ１，ＶｐｓｉｇＧ２は、プリチャージ信号電圧ＶｐｓｉｇＢの振幅と比べて相対的に小さな振幅を有している。
【００３７】
本実施の形態では、信号電圧Ｖｓｉｇが印加される直前に、プリチャージ信号電圧ＶｐｓｉｇＧが印加される。これにより、信号電圧Ｖｓｉｇの信号線ＤＴＬへの書き込み不足が改善される。また、本実施の形態では、信号電圧Ｖｓｉｇが印加される直前に、プリチャージ信号電圧ＶｐｓｉｇＢが印加される。これにより、画素トランジスタＴｒから信号線ＤＴＬに向かって、リーク電流が強制的に流されるので、各画素１１における電圧Ｖｐｉｘのばらつきが低減される。
【００３８】
（コントローラ２０）
コントローラ２０は、液晶ドライバ３０に対して、各画素１１の交流駆動方式によるアクティブマトリクス駆動の制御を行う。交流駆動方式については、後に詳述する。コントローラ２０は、信号処理回路２１、タイミング生成回路２２、反転回路２３、ＶＣＯＭ回路２４および電源生成回路２５を有している。
【００３９】
信号処理回路２１は、例えば、外部から入力されたデジタルの映像信号Ｄｉｎを、画素アレイ部１０用のアナログの映像信号ＤＡに変換し、変換した映像信号ＤＡを反転回路２３に出力する。信号処理回路２１は、さらに、例えば、映像信号Ｄｉｎから、同期信号Ｔｓを分離し、分離した同期信号Ｔｓをタイミング生成回路２２に出力する。タイミング生成回路２２は、例えば、同期信号Ｔｓに同期した水平スタート信号ＨＳＴおよび水平クロック信号ＨＣＫを形成して水平駆動回路３２に出力する。タイミング生成回路２２は、さらに、例えば、同期信号Ｔｓに同期した垂直スタート信号ＶＳＴおよび垂直クロック信号ＶＣＫを形成して垂直駆動回路３１に出力する。タイミング生成回路２２は、さらに、例えば、同期信号Ｔｓに同期した反転制御パルスを形成して反転回路２３に出力する。タイミング生成回路２２は、さらに、例えば、同期信号Ｔｓに同期した垂直クロック信号ＶＣＫを形成してＶＣＯＭ回路２４に出力する。反転回路２３は、反転制御パルスに応じた極性反転動作を行う。反転回路２３は、映像信号ＤＡから、１フィールド期間（１Ｆ）ごとに極性反転した信号電圧Ｖｓｉｇを形成する。反転回路２３は、形成した信号電圧Ｖｓｉｇを水平駆動回路３２に出力する。電源生成回路２５は、信号処理回路２１やＶＣＯＭ回路２４等で必要となる電圧を生成し、信号処理回路２１やＶＣＯＭ回路２４に供給するものである。
【００４０】
ここで、１Ｆは、例えば、図５に示したように、垂直スタート信号ＶＳＴによって規定される期間である。１Ｆの開始時は、垂直スタート信号ＶＳＴの立ち上がり時に対応し、１Ｆの終了時は、１Ｆが開始された後に最初に生成される垂直スタート信号ＶＳＴの立ち上がり時に対応する。なお、１Ｆが、コモン電圧Ｖｃｏｍのパルス波形によって規定された期間であってもよい。この場合、１Ｆは、コモン電圧Ｖｃｏｍの立ち上がり時から立ち下がり時までの期間、または、コモン電圧Ｖｃｏｍの立ち下がり時から立ち上がり時までの期間に対応する。
【００４１】
１Ｆは、信号電圧Ｖｓｉｇが画素アレイ部１０に印加される有効表示期間Ｔａと、有効表示期間Ｔａの前および後のうち少なくとも一方に設けられるブランキング期間Ｔｂとを含んで構成されている。本実施の形態では、１Ｆ内に１つだけ有効表示期間Ｔａが設けられており、ブランキング期間Ｔｂが、有効表示期間Ｔａの前に設けられたブランキング期間Ｔｂ１と、有効表示期間Ｔａの後に設けられたブランキング期間Ｔｂ２とにより構成されている。有効表示期間Ｔａでは、全ライン分の信号電圧Ｖｓｉｇが、水平駆動回路３２から各信号線ＤＴＬに対して、１ライン分の信号電圧Ｖｓｉｇごとに、垂直クロック信号ＶＣＫに同期して、順次、出力される。ブランキング期間Ｔｂは、画素アレイ部１０に映像が表示されない期間であり、種々の信号処理が行われる期間である。
【００４２】
水平スタート信号ＨＳＴは、例えば、図６に示したように、１水平期間（１Ｈ）を規定する。１Ｈの開始時は、水平スタート信号ＨＳＴの立ち上がり時に対応し、１Ｈの終了時は、１Ｈが開始された後に最初に生成される水平スタート信号ＨＳＴの立ち上がり時に対応する。有効表示期間Ｔａ内の各１Ｈは、信号電圧Ｖｓｉｇが画素アレイ部１０に印加される有効表示期間Ｔｃと、有効表示期間Ｔｃの前および後のうち少なくとも一方に設けられるブランキング期間Ｔｄとを含んで構成されている。本実施の形態では、１Ｈ内に１つだけ有効表示期間Ｔｃが設けられており、ブランキング期間Ｔｄが、有効表示期間Ｔｃの前に設けられたブランキング期間Ｔｄ１と、有効表示期間Ｔｃの後に設けられたブランキング期間Ｔｄ２とにより構成されている。有効表示期間Ｔｃでは、１ライン分の信号電圧Ｖｓｉｇが、水平駆動回路３２から各信号線ＤＴＬに対して、水平クロック信号ＨＣＫに同期して、同時に出力されたり、信号線ＤＴＬのグループごとに順次、出力されたりする。ブランキング期間Ｔｄは、画素アレイ部１０に映像が表示されない期間である。
【００４３】
ＶＣＯＭ回路２４は、所定のコモン電圧Ｖｃｏｍを生成して、液晶セルＣＬの対向電極に印加する。ＶＣＯＭ回路２４は、例えば、ＤＣ駆動を行う場合には、コモン電圧Ｖｃｏｍを一定にして、液晶セルＣＬの対向電極に印加する。ＶＣＯＭ回路２４は、例えば、ＡＣ駆動を行う場合には、垂直スタート信号ＶＳＴに同期してパルス変化するコモン電圧Ｖｃｏｍを、液晶セルＣＬの対向電極に印加する。このとき、ＶＣＯＭ回路２４は、１Ｆごとに極性反転したコモン電圧Ｖｃｏｍを形成し、形成したコモン電圧Ｖｃｏｍを、液晶セルＣＬの対向電極に印加する。
【００４４】
図７は、水平駆動回路３２およびプリチャージ回路３３の回路構成の他の例を表したものである。図８は、コントローラ２０による線順次駆動の一例について説明するための波形図である。図７、図８では、複数の信号線ＤＴＬが、複数のグループ（例えば４１セル）に分けられており、各グループには、複数の（例えば４８チャンネル）の信号線ＤＴＬが割り当てられている。つまり、図７、図８では、４８チャンネル×４１セル＝１９６８ラインの信号線ＤＴＬが設けられている。なお、水平駆動回路３２は、図５に記載の構成に限定されるものではない。
【００４５】
水平駆動回路３２は、例えば、信号線ＤＴＬのグループごとに１つずつ割り当てられた複数の選択線ＳＥＬ（ＳＥＬ（１），ＳＥＬ（２）・・・，ＳＥＬ（４１））と、信号線ＤＴＬの各グループにおいて、信号線ＤＴＬごとに１つずつ割り当てられた複数のスイッチ素子ＳＷｂとを含んで構成されている。対応する選択線ＳＥＬの互いに異なる複数のスイッチ素子ＳＷｂを１つのスイッチ群とし、全てのスイッチＳＷｂを、いずれかのスイッチ群に割り当てたときに、各スイッチ群では、一端が、互いに異なる信号線に接続され、他端が、共通の配線（以下、「共通配線」と称する。）に接続されている。各共通配線は、スイッチ群ごとに１本ずつ割り当てられており、互いに電気的に分離されている。各共通配線は、ＦＰＣ４２を介してコントローラ２０に接続されている。水平駆動回路３２は、例えば、コントローラ２０から供給される制御信号に基づいて、信号線ＤＴＬのグループごとに、各スイッチＳＷｂが順次、オンされることにより、信号線ＤＴＬのグループごとに、信号電圧Ｖｓｉｇを順次、出力する。
【００４６】
（交流駆動）
水平駆動回路３２は、液晶セルＣＬの画素電極に印加される信号電圧Ｖｓｉｇの、液晶セルＣＬの対向電極の電位（コモン電圧Ｖｃｏｍ）に対する極性を所定の周期で反転させる交流駆動を行う。これにより、液晶の比抵抗（物質固有の抵抗値）等の劣化や、「焼き付き」と呼ばれる残像現象の発生が抑制される。
【００４７】
図９Ａ，図９Ｂ，図９Ｃは、本実施の形態の交流駆動の一例について説明するための模式図である。図９Ａ，図９Ｂ，図９Ｃにおいて、「＋」とは、信号電圧Ｖｓｉｇの極性がコモン電圧Ｖｃｏｍに対して正であることを指している。図９Ａ，図９Ｂ，図９Ｃにおいて、「−」とは、信号電圧Ｖｓｉｇの極性がコモン電圧Ｖｃｏｍに対して負であることを指している。つまり、「＋」「−」とは、信号電圧Ｖｓｉｇの、コモン電圧Ｖｃｏｍに対する相対的な大小関係を表したものである。
【００４８】
この交流駆動としては、例えば、図９Ａに示したように、コモン電圧Ｖｃｏｍを一定にして、信号電圧Ｖｓｉｇの極性を１Ｆごとに反転させたり、信号電圧Ｖｓｉｇだけでなくコモン電圧Ｖｃｏｍも１Ｆごとに反転させたりする１Ｆ反転駆動が挙げられる。この交流駆動としては、この他に、例えば、図９Ｂに示したように、コモン電圧Ｖｃｏｍを一定にして、信号電圧Ｖｓｉｇの極性を１Ｆごとに反転させると共に１Ｈごとに反転させたり、信号電圧Ｖｓｉｇだけでなくコモン電圧Ｖｃｏｍも１Ｆごとに反転させると共に１Ｈごとに反転させたりする１Ｆ１Ｈ反転駆動が挙げられる。また、この交流駆動としては、この他に、例えば、図９Ｃに示したように、コモン電圧Ｖｃｏｍを一定にして、信号電圧Ｖｓｉｇの極性を１Ｆごとに反転させると共に１ドットごとに反転させたり、信号電圧Ｖｓｉｇだけでなくコモン電圧Ｖｃｏｍも１Ｆごとに反転させると共に１ドットごとに反転させたりする１Ｆ１ドット反転駆動が挙げられる。
【００４９】
次に、本実施の形態の１Ｆ反転駆動の一例について説明する。図１０は、画素アレイ部１０が白黒ストライプ表示をしている様子を表したものである。図１０には、上下方向に延在する２つの白領域１０Ａ，１０Ｃの間に、上下方向に延在する黒領域１０Ｂが挟まれた白黒ストライプ表示が例示されている。図１１〜図１６は、本実施の形態の１Ｆ反転駆動波形の一例を表したものである。図１１〜図１４は、コモン電圧Ｖｃｏｍを一定（ＤＣ）にしたＶｃｏｍＤＣ駆動の波形の一例を表したものである。図１５、図１６は、コモン電圧Ｖｃｏｍを矩形（ＡＣ）にしたＶｃｏｍＡＣ駆動の波形の一例を表したものである。
【００５０】
図１１，図１５は、白領域１０Ａ，１０Ｃ内の信号線ＤＴＬの電圧ＶｄｔｌＷの波形を、白領域１０Ａ，１０Ｃ内の画素１１の電圧ＶｐｉｘＷの電圧の変位とともに表したものである。電圧ＶｐｉｘＷは、信号電圧Ｖｓｉｇと、プリチャージ信号電圧Ｖｐｓｉｇとを足し合わせた電圧波形となっている。図１２，図１６は、黒領域１０Ｂ内の信号線ＤＴＬの電圧ＶｄｔｌＢの波形を、黒領域１０Ｂ内の画素１１の電圧ＶｐｉｘＢの電圧の変位とともに表したものである。電圧ＶｐｉｘＢは、信号電圧Ｖｓｉｇと、プリチャージ信号電圧Ｖｐｓｉｇとを足し合わせた電圧波形となっている。図１３は、図１１の区間αにおける電圧波形の一例を表したものである。図１４は、図１１の区間βにおける電圧波形の一例を表したものである。
【００５１】
（白領域１０Ａ，１０Ｃについて）
図１１、図１３、図１４では、信号電圧Ｖｓｉｇは、信号電圧Ｖｓｉｇとは無関係に固定されたコモン電圧Ｖｃｏｍを中心として１Ｆごとに反転する波形となっている。従って、信号電圧Ｖｓｉｇの振幅は、コモン電圧Ｖｃｏｍを基準として、概ね、一定となっている。このとき、信号電圧Ｖｓｉｇの振幅は、白表示に対応する大きさとなっている。また、図１１、図１３、図１４では、プリチャージ信号電圧ＶｐｓｉｇＧ１，ＶｐｓｉｇＧ２は、信号電圧Ｖｓｉｇの極性に応じた値となっている。ここで、プリチャージ信号電圧ＶｐｓｉｇＧ１，ＶｐｓｉｇＧ２の振幅は、コモン電圧Ｖｃｏｍを基準として、概ね、一定となっている。図１１、図１３、図１４では、プリチャージ信号電圧ＶｐｓｉｇＢは、信号電圧Ｖｓｉｇの極性とは無関係に固定された値となっており、１Ｆ全体に渡って「−」の極性となっている。従って、プリチャージ信号電圧ＶｐｓｉｇＢは、コモン電圧Ｖｃｏｍを基準として、「−」の極性側に偏っている。
【００５２】
ここで、プリチャージ信号電圧ＶｐｓｉｇＢは、画素トランジスタＴｒから信号線ＤＴＬに向かってリーク電流を強制的に流させる。プリチャージ信号電圧ＶｐｓｉｇＧ１は、信号電圧Ｖｓｉｇが白表示のときには、画素トランジスタＴｒから信号線ＤＴＬに向かってリーク電流を強制的に流させる信号電圧として作用する。そのため、図１３に示したように、信号電圧Ｖｓｉｇの極性が正のときに、白領域１０Ａ，１０Ｃ内の信号線ＤＴＬの電圧ＶｄｔｌＷは、画素トランジスタＴｒがオフしている期間に、プリチャージ信号電圧ＶｐｓｉｇＢ，ＶｐｓｉｇＧ１によって所望の値から低下する。
【００５３】
プリチャージ信号電圧ＶｐｓｉｇＧ２は、信号電圧Ｖｓｉｇが白表示のときには、信号線ＤＴＬから画素トランジスタＴｒに向かってリーク電流を強制的に流させる信号電圧として作用する。そのため、図１４に示したように、信号電圧Ｖｓｉｇの極性が負のときに、白領域１０Ａ，１０Ｃ内の信号線ＤＴＬの電圧ＶｄｔｌＷは、画素トランジスタＴｒがオフしている期間に、プリチャージ信号電圧ＶｐｓｉｇＧ２によって所望の値からわずかに上昇する。このとき、プリチャージ信号電圧ＶｐｓｉｇＢは、信号電圧Ｖｓｉｇと同じか、ほぼ同じとなっているので、白領域１０Ａ，１０Ｃ内の信号線ＤＴＬの電圧ＶｄｔｌＷは、プリチャージ信号電圧ＶｐｓｉｇＢよってほとんど変動しない。
【００５４】
以上のことから、白領域１０Ａ，１０Ｃ内の信号線ＤＴＬの電圧ＶｄｔｌＷは、プリチャージ信号電圧ＶｐｓｉｇＢの影響を受けて、所望の値から低下する。つまり、プリチャージ信号電圧ＶｐｓｉｇＢの、コモン電圧Ｖｃｏｍに対する非対称性が、白領域１０Ａ，１０Ｃ内の信号線ＤＴＬの電圧ＶｄｔｌＷの、所望の値からの低下を招く。その結果、白領域１０Ａ，１０Ｃには、一時的な焼き付きが生じる。この「一時的な焼き付き」は、例えば、表示装置１を所定の期間、単色表示にし続けたり、表示装置１の電源を所定の期間、オフし続けたりすることで、解消され得る。
【００５５】
（黒領域１０Ｂについて）
図１２では、信号電圧Ｖｓｉｇは、黒表示となっている。そのため、信号電圧Ｖｓｉｇは、信号電圧Ｖｓｉｇとは無関係に固定されたコモン電圧Ｖｃｏｍと同一またはほぼ同一の電圧値となっている。また、図１２では、プリチャージ信号電圧ＶｐｓｉｇＧ１，ＶｐｓｉｇＧ２は、信号電圧Ｖｓｉｇの極性に応じた値となっている。ここで、プリチャージ信号電圧ＶｐｓｉｇＧ１，ＶｐｓｉｇＧ２の振幅は、コモン電圧Ｖｃｏｍを基準として、概ね、一定となっている。図１２では、プリチャージ信号電圧ＶｐｓｉｇＢは、信号電圧Ｖｓｉｇの極性とは無関係に固定された値となっており、１Ｆ全体に渡って負の極性となっている。従って、プリチャージ信号電圧ＶｐｓｉｇＢは、コモン電圧Ｖｃｏｍを基準として、負の極性側に偏っている。
【００５６】
ここで、プリチャージ信号電圧ＶｐｓｉｇＢは、画素トランジスタＴｒから信号線ＤＴＬに向かってリーク電流を強制的に流させる。プリチャージ信号電圧ＶｐｓｉｇＧ２は、信号電圧Ｖｓｉｇが低階調のときには、画素トランジスタＴｒから信号線ＤＴＬに向かってリーク電流を強制的に流させる信号電圧として作用する。そのため、図１２に示したように、信号電圧Ｖｓｉｇの極性に拘わらず、黒領域１０Ｂ内の信号線ＤＴＬの電圧ＶｄｔｌＢは、画素トランジスタＴｒがオフしている期間に、プリチャージ信号電圧ＶｐｓｉｇＢ，ＶｐｓｉｇＧ２によって所望の値から低下する。つまり、プリチャージ信号電圧ＶｐｓｉｇＢの、コモン電圧Ｖｃｏｍに対する非対称性が、黒領域１０Ｂ内の信号線ＤＴＬの電圧ＶｄｔｌＢの、所望の値からの低下を招く。その結果、黒領域１０Ｂにも、一時的な焼き付きが生じる。
【００５７】
ところで、プリチャージ信号電圧ＶｐｓｉｇＧ１は、信号電圧Ｖｓｉｇが低階調のときには、信号線ＤＴＬから画素トランジスタＴｒに向かってリーク電流を強制的に流させる信号電圧として作用する。また、白領域１０Ａ，１０Ｃにおける電圧ＶｐｉｘＷの低下量が黒領域１０Ｂにおける電圧ＶｐｉｘＢの低下量よりも大幅に大きい。そのため、白領域１０Ａ，１０Ｃと、黒領域１０Ｂとで、一時的な焼き付きの程度が異なるので、画素アレイ部１０が、白領域１０Ａ，１０Ｃと、黒領域１０Ｂとが混在する白黒ストライプ表示をした後に、単色表示（例えば低輝度表示）をすると、白黒ストライプの模様が画素アレイ部１０に現れ得る。この現象は、図１５、図１６に示したＶｃｏｍＡＣ駆動においても現れ得る。
【００５８】
そこで、コントローラ２０は、白領域１０Ａ，１０Ｃにおける電圧ＶｐｉｘＷの低下量と、黒領域１０Ｂにおける電圧ＶｐｉｘＢの低下量との差が縮まるように（つまり、一時的な焼き付きが目立ち難くなるように）、プリチャージ信号電圧ＶｐｓｉｇＢの印加を制御する。例えば、プリチャージ信号電圧ＶｐｓｉｇＢの印加を間引くことが考えられる。「間引く」とは、プリチャージ信号電圧ＶｐｓｉｇＢが、例えば、図１７に示したように１Ｈごとに印加されている場合に、少なくとも、信号電圧Ｖｓｉｇの極性が正となっている期間に含まれる複数のプリチャージ信号電圧ＶｐｓｉｇＢのうち一部を省略することを指している。
【００５９】
プリチャージ信号電圧ＶｐｓｉｇＢの印加を間引くことにより、プリチャージ信号電圧ＶｐｓｉｇＢの積算印加時間が短くなる。その結果、例えば、図１８に示したように、一時的な焼き付きが目立ち難い方向に向かう。しかし、例えば、図１８に示したように、プリチャージ信号電圧ＶｐｓｉｇＢの積算印加時間が短くなるにつれて、縦クロストークが悪化する。そのため、コントローラ２０は、縦クロストークの悪化を最小限度に抑えつつ、一時的な焼き付きが目立ち難くなるように、プリチャージ信号電圧ＶｐｓｉｇＢの印加を制御することが好ましい。
【００６０】
具体的には、コントローラ２０は、垂直ブランキング期間Ｔｂに含まれる全体または一部の１Ｈにおいて、プリチャージ信号電圧ＶｐｓｉｇＢの印加を省略する制御を行う。このとき、プリチャージ回路３３は、例えば、図１９、図２０に示したように、コントローラ２０から供給される制御信号に基づいて、垂直ブランキング期間Ｔｂ（Ｔｂ１，Ｔｂ２）に含まれる全体または一部の１Ｈにおいて、プリチャージ信号電圧ＶｐｓｉｇＢの印加を省略する。なお、図１９には、ＶｃｏｍＤＣ駆動における電圧波形の一例が例示されている。図２０には、ＶｃｏｍＡＣ駆動における電圧波形の一例が例示されている。
【００６１】
コントローラ２０は、さらに、プリチャージ信号電圧ＶｐｓｉｇＢの印加に起因する、画素１１から信号線ＤＴＬへの電流リーク量が所定の１Ｈごとに他の期間よりも小さくなるように、プリチャージ信号電圧ＶｐｓｉｇＢの印加を制御するようにしてもよい。このとき、プリチャージ回路３３は、プリチャージ信号電圧ＶｐｓｉｇＢの印加に起因する、画素１１から信号線ＤＴＬへの電流リーク量が所定の１Ｈごとに他の期間よりも小さくなるように、プリチャージ信号電圧ＶｐｓｉｇＢの印加を行う。
【００６２】
コントローラ２０は、例えば、プリチャージ信号電圧ＶｐｓｉｇＢの印加を所定の１Ｈごとに間引きつつ、プリチャージ信号電圧ＶｐｓｉｇＧの印加を１水平期間ごとに行うように、プリチャージ回路３３に対する制御を行うようにしてもよい。このとき、プリチャージ回路３３は、例えば、図２１、図２２に示したように、コントローラ２０から供給される制御信号に基づいて、プリチャージ信号電圧ＶｐｓｉｇＢの印加を所定の１Ｈごとに間引きつつ、プリチャージ信号電圧ＶｐｓｉｇＧの印加を１水平期間ごとに行う。なお、図２１には、ＶｃｏｍＤＣ駆動における電圧波形の一例が例示されている。図２２には、ＶｃｏｍＡＣ駆動における電圧波形の一例が例示されている。図２１、図２２には、プリチャージ信号電圧ＶｐｓｉｇＢの印加が、１Ｈおきに省略されている様子が例示されている。
【００６３】
コントローラ２０は、プリチャージ信号電圧ＶｐｓｉｇＢの印加間隔が等間隔となるよう、プリチャージ信号電圧ＶｐｓｉｇＢの印加を間引くことが好ましい。コントローラ２０は、例えば、プリチャージ信号電圧ＶｐｓｉｇＢを偶数画素行ごとに間引いたり、プリチャージ信号電圧ＶｐｓｉｇＢを奇数画素行ごとに間引いたりしてもよい。コントローラ２０は、例えば、プリチャージ信号電圧ＶｐｓｉｇＢを４Ｈごとに３つ、間引いてもよい。
【００６４】
コントローラ２０は、さらに、プリチャージ信号電圧ＶｐｓｉｇＢを、信号電圧Ｖｓｉｇの最低レベル（ＶｓｉｇＬ２，ＶｓｉｇＬ）またはそれより大きなレベルの電圧値に設定してもよい。このとき、プリチャージ回路３３は、例えば、図２３、図２４に示したように、コントローラ２０から供給される制御信号に基づいて、信号電圧Ｖｓｉｇの最低レベル（ＶｓｉｇＬ２，ＶｓｉｇＬ）またはそれより大きなレベルの電圧値に設定されたプリチャージ信号電圧ＶｐｓｉｇＢを出力する。なお、図２３は、ＶｃｏｍＤＣ駆動における電圧波形の一例が例示されている。図２４には、ＶｃｏｍＡＣ駆動における電圧波形の一例が例示されている。
【００６５】
[効果] 
次に、本実施の形態の表示装置１の効果について説明する。
【００６６】
従来から、液晶セルの焼き付きを防止するために、液晶セルの画素電極に印加される信号電圧の、液晶セルの対向電極の電位に対する極性を所定の周期で反転させる交流駆動法が採られている。しかし、この交流駆動法では、信号線の電位の揺れが表示画面上に縦スジとして見えてしまうことがあった。そのため、映像信号の書き込みに先立って、中間調レベルのプリチャージ信号を信号線に書き込むプリチャージ方式が、この交流駆動法と共に採られている。
【００６７】
しかし、プリチャージ信号レベルを中間調レベルに設定すると、縦クロストークが発生し、画品位が損なわれてしまう。そこで、現在では、縦クロストークの低減と、上述の縦スジの低減とを両立する方策として、例えば、プリチャージ信号レベルを、白レベルと中間調レベルとの双方を水平ブランキング期間に順次、信号線に印加する２ステッププリチャージ方式が採られている。ところが、２ステッププリチャージ方式では、強制的に電流リークが行われている。そのため、１Ｆ期間内において、コモン電圧に対してプラス側の電圧印加と、コモン電圧に対してマイナス側の電圧印加との対称性が崩れる。これにより、液晶セルに電界が生じるので、その電界によって、液晶セルに含まれる不純物イオンが画素電極または対向電極の界面に集まるチャージアップが生じてしまう。その結果、一時的な焼き付きが生じてしまうという問題があった。
【００６８】
一方、本実施の形態では、垂直ブランキング期間Ｔｂ（Ｔｂ１，Ｔｂ２）に含まれる全体または一部の水平期間において、プリチャージ信号電圧ＶｐｓｉｇＢの印加が省略される。これにより、１Ｆ期間内において、コモン電圧Ｖｃｏｍに対してプラス側の電圧印加と、コモン電圧Ｖｃｏｍに対してマイナス側の電圧印加との対称性の崩れが緩和されるので、チャージアップを抑制することができる。その結果、プリチャージ信号電圧Ｖｐｓｉｇによる一時的な焼き付きの発生を抑制することができる。
【００６９】
また、本実施の形態において、プリチャージ信号電圧ＶｐｓｉｇＢの印加に起因する、画素１１から信号線ＤＴＬへの電流リーク量が所定の１Ｈごとに他の期間よりも小さくなるように、プリチャージ信号電圧ＶｐｓｉｇＢの印加が行われる場合には、１Ｆ期間内において、コモン電圧Ｖｃｏｍに対して正極側の電圧印加と、コモン電圧Ｖｃｏｍに対して負極側の電圧印加との対称性の崩れを緩和することができる。その結果、プリチャージ信号電圧Ｖｐｓｉｇによる一時的な焼き付きの発生をより効果的に抑制することができる。
【００７０】
例えば、本実施の形態において、プリチャージ信号電圧ＶｐｓｉｇＢの印加が所定の１Ｈごとに間引かれつつ、プリチャージ信号電圧ＶｐｓｉｇＧの印加が１Ｈごとに行われることにより、どのような映像信号ＤＡに対しても、１Ｆ内において、コモン電圧Ｖｃｏｍに対して正極側の電圧印加と、コモン電圧Ｖｃｏｍに対して負極側の電圧印加との対称性の崩れを緩和することができる。その結果、プリチャージ信号電圧Ｖｐｓｉｇによる一時的な焼き付きの発生をより効果的に抑制することができる。
【００７１】
また、本実施の形態において、プリチャージ信号電圧ＶｐｓｉｇＢを、信号電圧Ｖｓｉｇの最低レベル（ＶｓｉｇＬ２，ＶｓｉｇＬ）またはそれより大きなレベルの電圧値に設定した場合には、プリチャージ信号電圧ＶｐｓｉｇＢの振幅が浅くなった分だけ、電流リーク量を減らすことができる。その結果、プリチャージ信号電圧Ｖｐｓｉｇによる一時的な焼き付きの発生をより効果的に抑制することができる。
【００７２】
＜２．第２の実施の形態＞
図２５、図２６は、本開示の第２の実施の形態に係る表示装置２におけるプリチャージ信号電圧Ｖｐｓｉｇの一例について説明するための波形図である。本実施の形態では、コントローラ２０が、プリチャージ信号電圧ＶｐｓｉｇＢを、信号電圧Ｖｓｉｇの最低レベル（ＶｓｉｇＬ２，ＶｓｉｇＬ）またはそれより大きなレベルの電圧値に設定している。このとき、プリチャージ回路３３は、例えば、図２５、図２６に示したように、コントローラ２０から供給される制御信号に基づいて、信号電圧Ｖｓｉｇの最低レベル（ＶｓｉｇＬ２，ＶｓｉｇＬ）またはそれより大きなレベルの電圧値に設定されたプリチャージ信号電圧ＶｐｓｉｇＢを信号線ＤＴＬに出力する。これにより、プリチャージ信号電圧ＶｐｓｉｇＢの振幅が浅くなった分だけ、電流リーク量を減らすことができる。その結果、プリチャージ信号電圧Ｖｐｓｉｇによる一時的な焼き付きの発生を抑制することができる。
【００７３】
本実施の形態において、さらに、コントローラ２０は、垂直ブランキング期間Ｔｂ（Ｔｂ１，Ｔｂ２）に含まれる全体または一部の１Ｈにおける、プリチャージ信号電圧ＶｐｓｉｇＢの印加を省略するよう、プリチャージ回路３３を制御してもよい。このとき、プリチャージ回路３３は、例えば、図２７、図２８に示したように、コントローラ２０から供給される制御信号に基づいて、垂直ブランキング期間Ｔｂ（Ｔｂ１，Ｔｂ２）に含まれる全体または一部の１Ｈにおける、プリチャージ信号電圧ＶｐｓｉｇＢの印加を省略する。これにより、１Ｆ期間内において、コモン電圧Ｖｃｏｍに対して正極側の電圧印加と、コモン電圧Ｖｃｏｍに対して負極側の電圧印加との対称性の崩れが緩和されるので、チャージアップを抑制することができる。その結果、プリチャージ信号電圧Ｖｐｓｉｇによる一時的な焼き付きの発生をより効果的に抑制することができる。
【００７４】
また、本実施の形態において、さらに、コントローラ２０は、プリチャージ信号電圧ＶｐｓｉｇＢの印加を所定の１Ｈごとに間引きつつ、プリチャージ信号電圧ＶｐｓｉｇＧの印加を１Ｈごとに行うよう、プリチャージ回路３３を制御してもよい。このとき、プリチャージ回路３３は、例えば、図２９、図３０に示したように、コントローラ２０から供給される制御信号に基づいて、プリチャージ信号電圧ＶｐｓｉｇＢの印加を所定の１Ｈごとに間引きつつ、プリチャージ信号電圧ＶｐｓｉｇＧの印加を１Ｈごとに行う。これにより、どのような映像信号ＤＡに対しても、１Ｆ内において、コモン電圧Ｖｃｏｍに対して正極側の電圧印加と、コモン電圧Ｖｃｏｍに対して負極側の電圧印加との対称性の崩れを緩和することができる。その結果、プリチャージ信号電圧Ｖｐｓｉｇによる一時的な焼き付きの発生をより効果的に抑制することができる。
【００７５】
＜３．第３の実施の形態＞
図３１、図３２は、本開示の第３の実施の形態に係る表示装置３におけるプリチャージ信号Ｖｐｓｉｇの一例について説明するための波形図である。本実施の形態では、コントローラ２０は、プリチャージ信号ＶｐｓｉｇＢおよびプリチャージ信号ＶｐｓｉｇＧ（ＶｐｓｉｇＧ１，ＶｐｓｉｇＧ２）の印加を１Ｈごとに行うように、プリチャージ回路３３を制御する。コントローラ２０は、さらに、プリチャージ信号ＶｐｓｉｇＢの振幅を、所定の１Ｈごとに、他の１Ｈにおけるプリチャージ信号ＶｐｓｉｇＢの振幅よりも小さな値に設定する。このとき、プリチャージ回路３３は、例えば、図３１、図３２に示したように、コントローラ２０から供給される制御信号に基づいて、プリチャージ信号ＶｐｓｉｇＢおよびプリチャージ信号ＶｐｓｉｇＧ（ＶｐｓｉｇＧ１，ＶｐｓｉｇＧ２）の印加を１Ｈごとに行うとともに、所定の１Ｈごとに、他の１Ｈにおけるプリチャージ信号ＶｐｓｉｇＢの振幅よりも小さな振幅に設定されたプリチャージ信号ＶｐｓｉｇＢを信号線ＤＴＬに出力する。これにより、どのような映像信号ＤＡに対しても、１Ｆ内において、コモン電圧Ｖｃｏｍに対して正極側の電圧印加と、コモン電圧Ｖｃｏｍに対して負極側の電圧印加との対称性の崩れを緩和することができる。その結果、プリチャージ信号電圧Ｖｐｓｉｇによる一時的な焼き付きの発生をより効果的に抑制することができる。
【００７６】
また、本実施の形態において、さらに、コントローラ２０は、プリチャージ信号電圧ＶｐｓｉｇＢを、信号電圧Ｖｓｉｇの最低レベル（ＶｓｉｇＬ２，ＶｓｉｇＬ）またはそれより大きなレベルの電圧値に設定してもよい。このとき、プリチャージ回路３３は、例えば、図３３、図３４に示したように、コントローラ２０から供給される制御信号に基づいて、信号電圧Ｖｓｉｇの最低レベル（ＶｓｉｇＬ２，ＶｓｉｇＬ）またはそれより大きなレベルの電圧値に設定したリチャージ信号電圧ＶｓｉｇＢを信号線ＤＴＬに出力する。これにより、プリチャージ信号電圧ＶｐｓｉｇＢの振幅が浅くなった分だけ、電流リーク量を減らすことができる。その結果、プリチャージ信号電圧Ｖｐｓｉｇによる一時的な焼き付きの発生を抑制することができる。
【００７７】
＜４．各実施の形態に共通の変形例＞
[変形例Ａ]
図３５、図３６は、プリチャージ信号Ｖｐｓｉｇの一変形例について説明するための波形図である。上記各実施の形態およびそれらの変形例において、コントローラ２０は、プリチャージ信号電圧ＶｐｓｉｇＢを間引く箇所を、所定の期間（例えば１Ｆ）ごとに変更してもよい。コントローラ２０は、例えば、図３５に示したように、ある１Ｆにおいて、プリチャージ信号電圧ＶｐｓｉｇＢを偶数画素行ごとに間引いた後、次の１Ｆにおいて、プリチャージ信号電圧ＶｐｓｉｇＢを奇数画素行ごとに間引いてもよい。コントローラ２０は、例えば、図３６に示したように、プリチャージ信号電圧ＶｐｓｉｇＢを４Ｈごとに３つ、間引くとともに、４Ｈごとに間引く３つのプリチャージ信号電圧ＶｐｓｉｇＢの組み合わせを１Ｆごとに変更してもよい。
【００７８】
既存駆動では、プリチャージ信号電圧ＶｐｓｉｇＢは毎Ｈに１回、印可される。一方、本実施の形態およびその変形例では、画素トランジスタＴｒにおける電流リークによる影響を抑えるために、コントローラ２０は、複数Ｈ（ｎＨ）に対して１回以上、ｎ回より少ない回数、プリチャージ信号電圧ＶｐｓｉｇＢが信号線ＤＴＬに印加されるよう、プリチャージ回路３３を制御する。そして、プリチャージ回路３３は、コントローラ２０から供給される制御信号に基づいて、複数Ｈ（ｎＨ）に対して１回以上、ｎ回より少ない回数、プリチャージ信号電圧ＶｐｓｉｇＢを信号線ＤＴＬに印加する。このとき、プリチャージ信号電圧ＶｐｓｉｇＢは、複数Ｈ（ｎＨ）におけるどのＨで印可されてもよい。また、複数Ｈ（ｎＨ）に１回以上、ｎ回より少ない回数、プリチャージ信号電圧ＶｐｓｉｇＢが信号線ＤＴＬに印加される場合であって、かつ、プリチャージ信号電圧ＶｐｓｉｇＢの電位として２つ以上の値が選択可能となっているときには、各プリチャージ信号電圧ＶｐｓｉｇＢの電位は互いに異なっていてもよい。
【００７９】
これにより、どのような映像信号ＤＡに対しても、１Ｆ期間内において、コモン電圧Ｖｃｏｍに対して正極側の電圧印加と、コモン電圧Ｖｃｏｍに対して負極側の電圧印加との対称性の崩れを緩和することができる。その結果、プリチャージ信号電圧Ｖｐｓｉｇによる一時的な焼き付きの発生をより効果的に抑制することができる。
【００８０】
[変形例Ｂ]
図３７は、プリチャージ信号Ｖｐｓｉｇの一変形例について説明するための波形図である。上記各実施の形態およびそれらの変形例において、コントローラ２０は、プリチャージ信号ＶｐｓｉｇＢの間引きに伴って生じた時間の全体または一部を各映像信号ＤＡ（信号電圧Ｖｓｉｇ）の印加期間に均等に割り振ってもよい。コントローラ２０は、例えば、図３７に示したように、４Ｈごとに３つのプリチャージ信号ＶｐｓｉｇＢを間引くとともに、３つのプリチャージ信号ＶｐｓｉｇＢの間引きに伴って生じた時間を、各映像信号ＤＡ（信号電圧Ｖｓｉｇ）の印加期間に均等に割り振ってもよい。これにより、上述した対称性の崩れが生じている場合であっても、映像信号ＤＡ（信号電圧Ｖｓｉｇ）の印加期間が延びた分だけ、各画素１１の電圧値を所望の電圧値に近づけることができる。その結果、プリチャージによる一時的な焼き付きの発生をより一層、抑制することができる。
【００８１】
[変形例Ｃ] 
図３８は、図１０の白領域１０Ａ，１０Ｃ内の画素１１の電圧波形の一変形例を表したものである。図３９は、図１０の黒領域１０Ｂ内の画素１１の電圧波形の一変形例を表したものである。
【００８２】
上記各実施の形態およびそれらの変形例において、コントローラ２０は、プリチャージ信号電圧ＶｐｓｉｇＢを、信号電圧Ｖｓｉｇの最高レベルまたはそれより大きなレベルの電圧値に設定してもよい。このとき、プリチャージ回路３３は、例えば、図３８、図３９に示したように、コントローラ２０から供給される制御信号に基づいて、信号電圧Ｖｓｉｇの最高レベルまたはそれより大きなレベルの電圧値に設定されたプリチャージ信号電圧ＶｐｓｉｇＢを出力する。なお、図３８は、ＶｃｏｍＤＣ駆動における電圧波形の一例が例示されている。図３９には、ＶｃｏｍＡＣ駆動における電圧波形の一例が例示されている。図４０は、図１０の白領域１０Ａ，１０Ｃ内の画素１１の電圧波形の一変形例を表したものである。図４１は、図１０の黒領域１０Ｂ内の画素１１の電圧波形の一変形例を表したものである。
【００８３】
コントローラ２０は、プリチャージ信号電圧ＶｐｓｉｇＢを、信号電圧Ｖｓｉｇの最高レベルまたはそれより大きなレベルの電圧値に設定してもよい。このとき、プリチャージ回路３３は、例えば、図４０、図４１に示したように、コントローラ２０から供給される制御信号に基づいて、信号電圧Ｖｓｉｇの最高レベルまたはそれより大きなレベルの電圧値に設定されたプリチャージ信号電圧ＶｐｓｉｇＢを出力する。なお、図４０は、ＶｃｏｍＤＣ駆動における電圧波形の一例が例示されている。図４１には、ＶｃｏｍＡＣ駆動における電圧波形の一例が例示されている。
【００８４】
本変形例では、プリチャージ信号電圧ＶｐｓｉｇＢが、信号電圧Ｖｓｉｇの最高レベルまたはそれより大きなレベルの電圧値に設定されている。これにより、上述した対称性の崩れが生じている場合であっても、プリチャージによる一時的な焼き付きの発生をより一層、抑制することができる。
【００８５】
＜５．第４の実施の形態＞
次に、本開示の第４の実施の形態に係る電子機器４について説明する。図４２は、電子機器４の斜視構成例を表したものである。電子機器４は、例えば、板状の筐体の主面に表示面４Ａを備えた携帯端末である。電子機器４は、例えば、表示面４Ａの位置に、上記実施の形態およびその変形例に係る表示装置１，２，３を備えている。本実施の形態では、表示装置１，２，３が設けられているので、上記各実施の形態と同様の効果が得られる。
【００８６】
＜６．第５の実施の形態＞
次に、本開示の第５の実施の形態に係る電子機器５について説明する。図４３は、本実施の形態に係る電子機器５の斜視構成例を表したものである。電子機器５は、例えば、折りたたみ可能な２枚の板状の筐体のうちの一方の筐体の主面に表示面５Ａを備えたノート型のパーソナルコンピュータである。電子機器５は、例えば、表示面５Ａの位置に、上記実施の形態およびその変形例に係る表示装置１，２，３を備えている。本実施の形態では、表示装置１，２，３が設けられているので、上記各実施の形態と同様の効果が得られる。
【００８７】
＜７．第６の実施の形態＞
[構成]
次に、本開示の第６の実施の形態に係るプロジェクタ６について説明する。プロジェクタ６は、本開示の「投射型表示装置」の一具体例に対応する。図４４は、本開示の第６の実施の形態に係るプロジェクタ６の概略面構成例を表したものである。プロジェクタ６は、例えば、光源装置７、画像生成システム８および投射光学系９を備えている。
【００８８】
画像生成システム８は、光源装置７から出射された光（例えば白色光）を映像信号に基づいて変調することにより複数色の画像光を生成し、生成した複数色の画像光を合成した上で、投射光学系９に出射するようになっている。画像生成システム８は、照明光学系８１０、画像生成部８２０および画像合成部８３０を有している。投射光学系９は、画像生成システム８から出射された画像光（合成された画像光）をスクリーンなどに投射するようになっている。画像生成システム８は、本開示の「光変調部」の一具体例に対応する。投射光学系９は、本開示の「投射部」の一具体例に対応する。
【００８９】
照明光学系８１０は、光源装置７から出射された光（例えば白色光）を複数の色光に分解するものである。照明光学系８１０は、例えば、インテグレータ素子８１１、偏光変換素子８１２、集光レンズ８１３、ダイクロイックミラー８１４，８１５およびミラー８１６〜８１８を有している。インテグレータ素子８１１は、例えば、フライアイレンズ８１１ａおよびフライアイレンズ８１１ｂを有している。フライアイレンズ８１１ａは、２次元配置された複数のマイクロレンズを有している。フライアイレンズ８１１ｂも、２次元配置された複数のマイクロレンズを有している。フライアイレンズ８１１ａは、光源装置７から出射された光（例えば白色光）を複数の光束に分割し、フライアイレンズ８１１ｂにおける各マイクロレンズに結像させるようになっている。フライアイレンズ８１１ｂは、二次光源として機能し、輝度の揃った複数の平行光を、偏光変換素子８１２に入射させるようになっている。ダイクロイックミラー８１４，８１５は、所定の波長域の色光を選択的に反射し、それ以外の波長域の光を透過させるようになっている。ダイクロイックミラー８１４は、例えば、赤色光を選択的に反射するようになっている。ダイクロイックミラー８１５は、例えば、緑色光を選択的に反射するようになっている。
【００９０】
画像生成部８２０は、外部から入力された各色に対応する映像信号に基づいて、照明光学系８１０によって分解された各色光を変調し、各色の画像光を生成するものである。画像生成部８２０は、例えば、赤色光用のライトバルブ８２１、緑色光用のライトバルブ８２２、青色光用のライトバルブ８２３を有している。赤色光用のライトバルブ８２１は、外部から入力された赤色に対応する映像信号に基づいて、照明光学系８１０から入力された赤色光を変調し、赤色の画像光を生成するものである。緑色光用のライトバルブ８２２は、外部から入力された緑色に対応する映像信号に基づいて、照明光学系８１０から入力された緑色光を変調し、緑色の画像光を生成するものである。青色光用のライトバルブ８２３は、外部から入力された青色に対応する映像信号に基づいて、照明光学系８１０から入力された青色光を変調し、青色の画像光を生成するものである。赤色光用のライトバルブ８２１、緑色光用のライトバルブ８２２、および青色光用のライトバルブ８２３は、上記実施の形態およびその変形例に係る表示装置１，２，３によって構成されている。
【００９１】
画像合成部８３０は、画像生成部８２０で生成された各色の画像光を合成し、カラー画像光を生成するものである。
【００９２】
[効果]
次に、本実施の形態のプロジェクタ６の効果について説明する。
【００９３】
本実施の形態では、赤色光用のライトバルブ８２１、緑色光用のライトバルブ８２２、および青色光用のライトバルブ８２３として、上記実施の形態およびその変形例に係る表示装置１，２，３が用いられている。これにより、表示装置１，２，３が設けられているので、上記実施の形態と同様の効果を有している。
【００９４】
以上、６つの実施の形態およびそれらの変形例を挙げて本開示を説明したが、本開示は上記各実施の形態に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００９５】
また、例えば、本開示は以下のような構成を取ることができる。
（１）
複数の画素が行列状に２次元配置され、画素列ごとに信号線が配置された画素アレイ部と、
各前記画素を行単位で順次選択する第１駆動部と、
前記第１駆動部によって選択された画素行の各前記画素に対して映像信号を、前記信号線を介して印加するとともに、前記映像信号の極性を所定の周期で反転させる第２駆動部と
を備え、
前記第２駆動部は、前記映像信号の印加に先立って、相対的に振幅の大きな第１プリチャージ信号電圧と、相対的に振幅の小さな第２プリチャージ信号電圧とを順次、前記信号線に印加し、
前記第２駆動部は、さらに、前記第１プリチャージ信号電圧の印加に起因する、前記画素から前記信号線への電流リーク量が所定の水平期間ごとに他の期間よりも小さくなるように、前記第１プリチャージ信号電圧の印加を制御する
表示装置。
（２）
前記第２駆動部は、前記第１プリチャージ信号電圧の印加を前記所定の水平期間ごとに間引きつつ、前記第２プリチャージ信号電圧の印加を１水平期間ごとに行い、
前記第２駆動部は、各前記映像信号の印加期間を含まない水平期間の全部または一部において、前記第１プリチャージ信号電圧の印加を省略する
（１）に記載の表示装置。
（３）
前記第２駆動部は、前記第１プリチャージ信号電圧の印加を前記所定の水平期間ごとに間引きつつ、前記第２プリチャージ信号電圧の印加を１水平期間ごとに行い、
前記第１プリチャージ信号電圧は、前記映像信号の最低レベルまたはそれより大きなレベルの電圧値となっている
（１）または（２）に記載の表示装置。
（４）
前記第２駆動部は、前記第１プリチャージ信号電圧および前記第２プリチャージ信号電圧の印加を１水平期間ごとに行うとともに、前記第１プリチャージ信号電圧の振幅を、前記所定の水平期間ごとに、他の水平期間における前記第１プリチャージ信号電圧の振幅よりも小さくする
（１）に記載の表示装置。
（５）
前記第２駆動部は、前記第１プリチャージ信号電圧の印加を前記所定の水平期間ごとに間引きつつ、前記第２プリチャージ信号電圧の印加を１水平期間ごとに行い、
前記第２駆動部は、前記第１プリチャージ信号電圧の間引きに伴って生じた時間の全体または一部を各前記映像信号の印加期間に均等に割り振る
（１）に記載の表示装置。
（６）
表示装置を備え、
前記表示装置は、
複数の画素が行列状に２次元配置され、画素列ごとに信号線が配置された画素アレイ部と、
各前記画素を行単位で順次選択する第１駆動部と、
前記第１駆動部によって選択された画素行の各前記画素に対して映像信号を、前記信号線を介して印加するとともに、前記映像信号の極性を所定の周期で反転させる第２駆動部と
を有し、
前記第２駆動部は、前記映像信号の印加に先立って、相対的に振幅の大きな第１プリチャージ信号電圧と、相対的に振幅の小さな第２プリチャージ信号電圧とを順次、前記信号線に印加し、
前記第２駆動部は、さらに、前記第１プリチャージ信号電圧の印加に起因する、前記画素から前記信号線への電流リーク量が所定の水平期間ごとに他の期間よりも小さくなるように、前記第１プリチャージ信号電圧の印加を制御する
電子機器。
（７）
照明光学系と、
前記照明光学系からの光を変調することで画像光を生成する複数の画像光生成部と、
複数の前記画像光生成部で生成された各前記画像光を投射する投射光学系と
を備え、
複数の画素が行列状に２次元配置され、画素列ごとに信号線が配置された画素アレイ部と、
各前記画素を行単位で順次選択する第１駆動部と、
前記第１駆動部によって選択された画素行の各前記画素に対して映像信号を、前記信号線を介して印加するとともに、前記映像信号の極性を所定の周期で反転させる第２駆動部と
を有し、
前記第２駆動部は、前記映像信号の印加に先立って、相対的に振幅の大きな第１プリチャージ信号電圧と、相対的に振幅の小さな第２プリチャージ信号電圧とを順次、前記信号線に印加し、
前記第２駆動部は、さらに、前記第１プリチャージ信号電圧の印加に起因する、前記画素から前記信号線への電流リーク量が所定の水平期間ごとに他の期間よりも小さくなるように、前記第１プリチャージ信号電圧の印加を制御する
投射型表示装置。
【００９６】
本出願は、日本国特許庁において２０１６年２月２日に出願された日本特許出願番号第２０１６−０１７８６９号を基礎として優先権を主張するものであり、この出願のすべての内容を参照によって本出願に援用する。
【００９７】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2017134967.tif 000003
【図２】
2017134967.tif 000004
【図３】
2017134967.tif 000005
【図４】
2017134967.tif 000006
【図５】
2017134967.tif 000007
【図６】
2017134967.tif 000008
【図７】
2017134967.tif 000009
【図８】
2017134967.tif 000010
【図９Ａ】
2017134967.tif 000011
【図９Ｂ】
2017134967.tif 000012
【図９Ｃ】
2017134967.tif 000013
【図１０】
2017134967.tif 000014
【図１１】
2017134967.tif 000015
【図１２】
2017134967.tif 000016
【図１３】
2017134967.tif 000017
【図１４】
2017134967.tif 000018
【図１５】
2017134967.tif 000019
【図１６】
2017134967.tif 000020
【図１７】
2017134967.tif 000021
【図１８】
2017134967.tif 000022
【図１９】
2017134967.tif 000023
【図２０】
2017134967.tif 000024
【図２１】
2017134967.tif 000025
【図２２】
2017134967.tif 000026
【図２３】
2017134967.tif 000027
【図２４】
2017134967.tif 000028
【図２５】
2017134967.tif 000029
【図２６】
2017134967.tif 000030
【図２７】
2017134967.tif 000031
【図２８】
2017134967.tif 000032
【図２９】
2017134967.tif 000033
【図３０】
2017134967.tif 000034
【図３１】
2017134967.tif 000035
【図３２】
2017134967.tif 000036
【図３３】
2017134967.tif 000037
【図３４】
2017134967.tif 000038
【図３５】
2017134967.tif 000039
【図３６】
2017134967.tif 000040
【図３７】
2017134967.tif 000041
【図３８】
2017134967.tif 000042
【図３９】
2017134967.tif 000043
【図４０】
2017134967.tif 000044
【図４１】
2017134967.tif 000045
【図４２】
2017134967.tif 000046
【図４３】
2017134967.tif 000047
【図４４】
2017134967.tif 000048
【国際調査報告】
2017134967.tif 000049
2017134967.tif 000050